(57)【要約】【課題】  ファックス、プリンター、スキャナー、多機能の事務機器など各種のスキャン装置に適用する両面フィード装置を提供する。【解決手段】  ペーパーのシフトを精密に制御し、ジャムの発生を避ける。ペーパーを第一フィードチャネルに案内するためのピックアップモジュールと、第一挟持力で前記ペーパーを両面フィード装置の外部までフィードし、第二挟持力で前記ペーパーを両面フィード装置の内部までフィードするためのペーパー制御用ロールモジュールと、第三挟持力で前記ペーパーをフィード若しくはアウト-プットするためのフィード/アウト-プットのモジュールを含む。【選択図】図２
2008184328.tif 000002
【特許請求の範囲】
【請求項１】
スキャン装置によりペーパーをスキャンモジュールへ伝送するのに用いられる両面フィード装置であって、
前記ペーパーを第一フィードチャネルに案内し、前記ペーパーの第一面がスキャンモジュールを通過するためのピックアップモジュールと、
ペーパー制御用第一ロール、ペーパー制御用第二ロール及び第一挟持力で前記ペーパーを両面フィード装置の外部までフィードし、第二挟持力で前記ペーパーを両面フィード装置の内部までフィードするためのペーパー制御用第三ロールからなる前記ペーパー制御用ロールモジュールと、
フィード/アウト-プット用のロールと当接部材を接触し合う部材を含み、前記フィード/アウト-プットのロールを正方向に回転することにより、第三挟持力が前記ペーパーを両面フィード装置の外部までフィードし、前記第三挟持力が前記第一挟持力や第二挟持力より小さくなるフィード/アウト-プットのモジュールとを含み、
前記ペーパーの第二面がスキャンを必要とする場合は、前記フィード/アウト-プット用のロールを逆方向に回転し、前記ペーパーを前記両面フィード装置内部の第二フィードチャネルまでフィードし、前記ペーパーの第二面が前記スキャンモジュールを通過することを特徴とする両面フィード装置。
【請求項２】
前記ピックアップモジュールはさらにピックアップ用のロールとパーティション用のロールを含み、毎回ペーパー一枚のみを第一フィードチャネルまでフィードすることを特徴とする請求項1に記載する両面フィード装置。
【請求項３】
ペーパー制御用第一ロールとペーパー制御用第二ロールが前記第一フィードチャネルに位置することを特徴とする請求項１に記載する両面フィード装置。
【請求項４】
ペーパー制御用第二ロールとペーパー制御用第三ロールは前記第二フィードチャネルに位置することを特徴とする請求項１に記載する両面フィード装置。
【請求項５】
前記当接部材はロールであることを特徴とする請求項１に記載する両面フィード装置。
【請求項６】
前記当接部材は弾性のばねであることを特徴とする請求項１に記載する両面フィード装置。
【請求項７】
ペーパー制御用第一ロールとペーパー制御用第二ロールが互いに接触し回転し、前記第一挟持力を供与することを特徴とする請求項１に記載する両面フィード装置。
【請求項８】
ペーパー制御用第二ロールとペーパー制御用第三ロールが互いに接触し回転し、前記第二挟持力を供与することを特徴とする請求項１に記載する両面フィード装置。
【発明の詳細な説明】
【技術分野】
【０００１】
本発明はフィード装置に関し、特に両面フィード装置に関する。
【背景技術】
【０００２】
現代人が日常生活並びにオフィスにおける文書事務で、スキャン装置を使用するのは極当たり前であり、散見されるスキャン装置はファックス、プリンター、スキャナー、多機能の事務機器（Multi  Function  Peripheral，MFP）などの装置を含む。ユーザーは上記のスキャン装置を使用する過程で、文書を両面スキャンする必要がよくあり、一般的な普通のスキャン装置では、ユーザーが自ら文書を裏返して再度スキャンする。然しながら、大量の文書を両面スキャンする必要がある場合、上記の方法は人的資源の無駄遣いであり、全く以って非効率的である。このほかに、ユーザーの居住スペースやオフィススペースを節約するためにも、上記のスキャン装置は容積が大き過ぎてはいけないのである。
【０００３】
このため、高級なスキャン装置は自動両面スキャン機能の具備以外に、過大な容積でスペースを占拠しないようにもしなければならない。図１Ａ乃至図１Ｄは従来のフィード装置の動作概略図である。図１Ａで示すように、ペーパー１０がピックアップモジュール２０によってフィード装置に取り込まれ、ペーパー案内モジュール３０によりアウトプットモジュール４０の方向へ伝送され、ペーパー１０の先端がペーパー案内板５０の下端を押し開き、アウトプットモジュール４０に進入する。この過程で、前記ペーパー１０の第一面がスキャン装置７０内のスキャンモジュール６０を通過するとスキャンされる。図１Ｂは前記ペーパーの末端が既にペーパー案内モジュール３０の中の第一アクティブロール３１と第一遊び歯車３２を通過した後の状態である。この状態では、ペーパー１０のシフトはアウトプットモジュール４０が先導して、ペーパー１０のシフトを精確に制御するために、アウトプットモジュール４０の中の第二アクティブロール４１と第二遊び歯車４２間の挟持力は充分強くなければならない。
【０００４】
図１Ｃでは前記ペーパー１０の第一面がペーパー案内モジュール３０の回転によってスキャンモジュール６０を完全に通過してペーパー１０の末端が既にアウトプットモジュール４０に到達している。この時アウトプットモジュール４０の中の第二アクティブロール４１が逆方向に回転し始め、ペーパー１０はペーパー案内板５０に沿って再びペーパー案内モジュール３０内に伝送され、前記ペーパー１０に対して第二面のスキャンを行う。図１Ｄでは前記ペーパー１０の先端がペーパー案内モジュール３０に伝送されてペーパー１０の末端とアウトプットモジュール４０の中で重なり始めた概略図である。アウトプットモジュール４０内の第二アクティブロール４１はまた再度正方向回転に戻り、ペーパー１０の先端をフィード装置の外部まで送り出し、前記ペーパー１０の末端が引き続きペーパー案内モジュール３０に送られるので、第二遊び歯車４２は逆方向の回転を維持する。
【０００５】
以上の説明から従来の技術で両面スキャンをする方法が理解できる。しかし従来の技術の中で、ペーパー１０のシフト精度を精確に制御できるには、アウトプットモジュール４０の中の第二アクティブロール４１と第二遊び歯車４２の挟持力が充分強くなければならない。然しながら、このことはペーパー１０が図１Ｄの状態にあるとき、ペーパー１０の先端が第二アクティブロール４１と第二遊び歯車４２の間に進入できずによくジャムを惹起させる。だが、第二アクティブロール４１と第二遊び歯車４２の挟持力を減らすと、ペーパー１０は図１Ｂの状態で挟持力不足によってペーパー１０のシフトを精確に制御できずにスキャンした結果歪みが生じる虞がある。
【０００６】
こうしたことに鑑みて、本発明ではペーパーのシフト精度を制御するのに充分な挟持力を提供する共に、スキャン過程でペーパーがジャムを惹起しないようにする両面スキャン装置を提示する。
【発明の開示】
【発明が解決しようとする課題】
【０００７】
本発明の主な目的はペーパーのシフト精度を制御するのに充分な挟持力を提供する共に、スキャン過程でペーパーがジャムを惹起しないようにする両面スキャン装置を提示することにある。
【課題を解決するための手段】
【０００８】
本発明の好ましい実施例において、スキャン装置によりペーパーをスキャンモジュールに伝送するのに用いられる両面フィード装置を提供する。前記両面フィード装置は、前記ペーパーを第一フィードチャネルに案内し、前記ペーパーの第一面がスキャンモジュールを通過するためのピックアップモジュールと、第一挟持力と第二挟持力を提供するペーパー制御用ロールモジュールを含む。第一挟持力は前記ペーパーを両面フィード装置の外部までフィードし、第二挟持力は前記ペーパーを両面フィード装置の内部までフィードし、フィード/アウト-プットのモジュールは第三挟持力を提供して前記ペーパーを両面フィード装置の外部までフィードし、且つ第三挟持力は第一挟持力や第二挟持力より小さい。前記ペーパーの第二面がスキャンを必要とする場合は、フィード/アウト-プット用のモジュールは逆方向に回転し、ペーパーを両面フィード装置内部の第二フィードチャネルまでフィードし、ペーパーの第二面がスキャンモジュールを通過する。
【発明を実施するための最良の形態】
【０００９】
[実施例]
本発明の実施内容はファックス、プリンター、スキャナー等のスキャン装置に応用して、自動的にペーパーを反転させて両面スキャンを行なえる両面フィード装置を提示することである。図２は本発明の両面フィード装置の概略図である。図示するように、前記両面フィード装置はピックアップモジュール１００、ペーパー制御用モジュール１２０、フィード/アウト-プット用のモジュール１４０、第一フィードチャネル１６０及び第二フィードチャネル１８０からなる。本発明の両面フィード装置は補助ペーパー案内モジュール２００を設置する方法も採れる。ピックアップモジュール１００はピックアップ用ロール１０２とパーティション用ロール１０４を含む。ペーパー制御用ロールモジュール１２０は第一ペーパー制御用ロール１２２と第二ペーパー制御用ロール１２４及び第三ペーパー制御用ロール１２６を含む。フィード/アウト-プット用のモジュール１４０はフィード/アウト-プット用のロール１４２と当接部材１４４を含み、本実施例の当接部材１４４はロールである。
【００１０】
図３Ａ乃至図３Ｅは本発明の両面フィード装置がスキャン装置９０に使用された概略図である。図３Ａでは、ペーパー８０はピックアップ用ロール１０２にフィードされ、パーティション用ロール１０４を通して、ペーパー８０一枚のみ両面フィード装置の内部にフィードする工程を一度確実に行なう。図３Ｂではペーパー８０は補助ペーパー案内モジュール２００並びに第一ペーパー制御用ロール１２２と第二ペーパー制御用ロール１２４間で構成される第一挟持力によって、第一フィードチャネル１６０（図２）を経由してフィード/アウト-プット用のモジュール１４０へフィードされる。また同時にフィード/アウト-プット用のロール１４２は引き続き正方向に回転してペーパー８０を両面フィード装置の外部にフィードする。この過程において、ペーパー８０の第一面はスキャンモジュール２１０を通過して、スキャン装置９０はその先の保存作業若しくは処理作業を行なうことができる。
【００１１】
図３Ｃはペーパー８０が第一面のスキャンを完了してフィード/アウト-プット用のモジュール１４０へ伝送されるところで、このときフィード/アウト-プット用のロール１４２は逆方向に回転してペーパー８０を第二フィードチャネル１８０（図２）の中にフィードし、第二面をスキャンする目的を果たす。図３Ｄではペーパー８０が第二ペーパー制御用ロール１２４と第三ペーパー制御用ロール１２６間の第二挟持力により第二フィードチャネル１８０の中へ進入する。図３Ｅでは、ペーパー８０の第二面は部分的なスキャンを完了しており、先端が再度フィード/アウト-プット用のモジュール１４０の中に進入することで、フィード/アウト-プット用のロール１４２は正方向の回転に戻り、ペーパー８０の先端を両面スキャン装置の外部までフィードする。本発明の実施例において、第一ペーパー制御用ロール１２２と第二ペーパー制御用ロール１２４間の第一挟持力並びに第二ペーパー制御用ロール１２４と第三ペーパー制御用ロール１２６間の第二挟持力が何れもフィード/アウト-プット用のモジュール１４０内のフィード/アウト-プット用のロール１４２と当接部材１４４間の第三挟持力より数倍以上（例えば５倍）大きいために、ペーパーはスムースにフィード/アウト-プット用のロール１４２と当接部材１４４間をフィードしてジャムは発生しないのである。このほか、本発明がペーパー制御用ロールモジュール１２０が提供する第一挟持力と第二挟持力でペーパー８０のシフト精度を制御するのでペーパーの第一面或いは第二面のスキャンに拘わらず何れも精確に操作できる。
【００１２】
本発明における上記のフィード/アウト-プット用のモジュール１４０はロールだけが当接部材１４４となり得るわけではない。当業者は本発明の趣旨に基いてフィード/アウト-プット用のモジュール１４０の部材を置き換えて、ユーザーが弾力のあるバネで当接部材１４４とするように、前記当接部材１４４とフィード/アウト-プット用のロール１４２の間に挟持力を持たせればよいのである。従来の技術と比べて本発明はペーパー制御用ロールモジュール１２０によりペーパー８０のシフト精度を制御するため、フィード/アウト-プット用のモジュール１４０は過大な挟持力を持つ必要がなく、またペーパー８０にジャムが起きるような状況も発生しない。
【００１３】
上記内容は本発明の好ましい実施例に過ぎず、本発明の特許申請範囲を限定するものではないため、本発明で開示した趣旨を逸脱しない範囲において完成した等価変更若しくは補正は、全て本案における特許申請の範囲内に含まれるものとする。
【図面の簡単な説明】
【００１４】
【図１Ａ】従来のフィード装置の動作概略図である。
【図１Ｂ】従来のフィード装置の動作概略図である。
【図１Ｃ】従来のフィード装置の動作概略図である。
【図１Ｄ】従来のフィード装置の動作概略図である。
【図２】本発明の両面フィード装置の概略図である。
【図３Ａ】本発明の両面フィード装置がスキャン装置に使用された概略図である。
【図３Ｂ】本発明の両面フィード装置がスキャン装置に使用された概略図である。
【図３Ｃ】本発明の両面フィード装置がスキャン装置に使用された概略図である。
【図３Ｄ】本発明の両面フィード装置がスキャン装置に使用された概略図である。
【図３Ｅ】本発明の両面フィード装置がスキャン装置に使用された概略図である。
【符号の説明】
【００１５】
１０    ペーパー
２０、１００  ピックアップモジュール
３０    ペーパー案内モジュール
３１    第一アクティブロール
３２    遊び歯車
４０    アウト-プットのモジュール
４１    第二アクティブロール
４２    第二遊び歯車
５０    ペーパー案内板
６０、２１０  スキャンモジュール
７０、９０  スキャン装置
１０２  ピックアップ用のロール
１０４  パーティション用のロール
１２０  ペーパー制御用ロールモジュール
１２２  ペーパー制御用第一ロール
１２４  ペーパー制御用第二ロール
１２６  ペーパー制御用第三ロール
１４０  フィード/アウト-プットのモジュール
１４２  フィード/アウト-プット用のロール
１４４  当接部材
１６０  第一フィードチャネル
１８０  第二フィードチャネル
２００  補佐ペーパー案内モジュール
【図１Ａ】
2008184328.tif 000003
【図１Ｂ】
2008184328.tif 000004
【図１Ｃ】
2008184328.tif 000005
【図１Ｄ】
2008184328.tif 000006
【図２】
2008184328.tif 000007
【図３Ａ】
2008184328.tif 000008
【図３Ｂ】
2008184328.tif 000009
【図３Ｃ】
2008184328.tif 000010
【図３Ｄ】
2008184328.tif 000011
【図３Ｅ】
2008184328.tif 000012